(57)【要約】【課題】拡大縮小表示形式をより容易に選択できる映像表示装置を提供する。【解決手段】映像信号に基づく画像を表示する表示部８を備えるデジタルテレビ１００のＣＰＵ１２に、複数の拡大縮小表示形式に応じて映像信号を拡大縮小して、複数の拡大縮小表示形式に対応する複数の映像信号を生成させる拡大縮小プログラム１４Ｂと、表示部８の表示領域を複数の分割表示領域に分割して、複数の拡大表示形式に対応する複数の映像信号に基づく複数の画像を複数の分割表示領域に表示させる画面分割プログラム１４Ｃと、表示部８に分割表示された複数の拡大縮小表示形式に対応する複数の映像信号に基づく画像のうち、所望する画像を選択するためのリモコンと、選択された画像に対応する拡大縮小表示形式に応じて、拡大縮小処理された映像信号に基づく画像を表示部８に表示させる表示制御プログラム１４Ｄと、を備えた。【選択図】図２
2007312183.tif 000002
【特許請求の範囲】
【請求項１】
映像信号に基づく画像を表示する表示部を備える映像表示装置において、
前記映像信号のアスペクト比を判定するアスペクト比判定手段と、
前記アスペクト比判定手段により判定されたアスペクト比に基づいて、複数の拡大縮小表示形式に応じて前記映像信号を拡大縮小して、前記複数の拡大縮小表示形式に対応する複数の映像信号を生成する拡大縮小手段と、
前記表示部の表示領域を複数の分割表示領域に分割して、前記拡大縮小手段により生成された複数の映像信号に基づく複数の画像を前記複数の分割表示領域に表示させる画面分割手段と、
前記画面分割手段により前記表示部に表示された複数の拡大縮小表示形式に対応する複数の映像信号に基づく画像のうち、所望する画像を選択するための選択手段と、
前記選択手段により選択された画像に対応する拡大縮小表示形式に応じて、前記拡大縮小手段により生成された映像信号に基づく画像を前記表示部に表示させる表示制御手段と、
を備えることを特徴とする映像表示装置。
【請求項２】
映像信号に基づく画像を表示する表示部を備える映像表示装置において、
複数の拡大縮小表示形式に応じて前記映像信号を拡大縮小して、前記複数の拡大縮小表示形式に対応する複数の映像信号を生成する拡大縮小手段と、
前記表示部の表示領域を複数の分割表示領域に分割して、前記拡大縮小手段により生成された複数の映像信号に基づく複数の画像を前記複数の分割表示領域に表示させる画面分割手段と、
前記画面分割手段により前記表示部に表示された複数の拡大縮小表示形式に対応する複数の映像信号に基づく画像のうち、所望する画像を選択するための選択手段と、
前記選択手段により選択された画像に対応する拡大縮小表示形式に応じて、前記拡大縮小手段により生成された映像信号に基づく画像を前記表示部に表示させる表示制御手段と、
を備えることを特徴とする映像表示装置。
【請求項３】
映像信号に基づく画像を表示する表示部を備える映像表示装置において、
複数の拡大縮小表示形式に応じて拡大縮小した複数の参考画像データを記憶する記憶手段と、
前記表示部の表示領域を複数の分割表示領域に分割して、前記記憶手段により記憶された複数の参考画像データに基づく参考画像を前記複数の分割表示領域に表示させる画面分割手段と、
前記画面分割手段により前記表示部に表示された複数の拡大縮小表示形式に対応する複数の参考画像のうち、所望する参考画像を選択するための選択手段と、
前記選択手段により選択された参考画像に対応する拡大縮小表示形式に応じて、前記映像信号を拡大縮小する拡大縮小手段と、
前記拡大縮小手段により拡大縮小された映像信号に基づく画像を前記表示部に表示させる表示制御手段と、
を備えることを特徴とする映像表示装置。
【発明の詳細な説明】
【技術分野】
【０００１】
本発明は、映像表示装置に関する。
【背景技術】
【０００２】
従来、映像信号のアスペクト比（縦横比）として、ＮＴＳＣ（National  Television  System  Committee）方式の映像信号やパソコンモニタやデジタルカメラの撮影画像サイズとして多く用いられている４：３、ハイビジョンテレビ等で用いられる１６：９等が知られている。そして、アスペクト比が１６：９のハイビジョンテレビにおいて、ＮＴＳＣ方式等の４：３の映像信号を表示する場合には、映像信号を拡大処理して表示する必要がある。そこで、ハイビジョンテレビに複数種類の拡大縮小表示形式を備え、ユーザは、リモコン等により順次選択した拡大縮小表示形式による画像を順次表示させ、どの拡大縮小表示形式で視聴するかを決定していた。
また、４：３の映像信号と１６：９の映像信号との画像サイズを適宜拡大縮小して、２画面表示するものも知られている（例えば、特許文献１）。
【特許文献１】特開平７−１８４１３８号公報
【発明の開示】
【発明が解決しようとする課題】
【０００３】
しかしながら、各拡大縮小表示形式により拡大された画像の違いはわずかな点であるため、ユーザが順次選択した拡大縮小表示形式による画像を順次表示させて各画像を比較するのは、難しいという問題がある。特許文献１に記載の発明は、異なるアスペクト比の映像信号を１つの画面に並べて表示するために拡大縮小するものであるため、この問題を解決することはできない。
【０００４】
本発明の課題は、拡大縮小表示形式をより容易に選択できる映像表示装置を提供することである。
【課題を解決するための手段】
【０００５】
請求項１に記載の発明は、映像信号に基づく画像を表示する表示部を備える映像表示装置において、
前記映像信号のアスペクト比を判定するアスペクト比判定手段と、
前記アスペクト比判定手段により判定されたアスペクト比に基づいて、複数の拡大縮小表示形式に応じて前記映像信号を拡大縮小して、前記複数の拡大縮小表示形式に対応する複数の映像信号を生成する拡大縮小手段と、
前記表示部の表示領域を複数の分割表示領域に分割して、前記拡大縮小手段により生成された複数の映像信号に基づく複数の画像を前記複数の分割表示領域に表示させる画面分割手段と、
前記画面分割手段により前記表示部に表示された複数の拡大縮小表示形式に対応する複数の映像信号に基づく画像のうち、所望する画像を選択するための選択手段と、
前記選択手段により選択された画像に対応する拡大縮小表示形式に応じて、前記拡大縮小手段により生成された映像信号に基づく画像を前記表示部に表示させる表示制御手段と、
を備えることを特徴としている。
【０００６】
請求項２に記載の発明は、映像信号に基づく画像を表示する表示部を備える映像表示装置において、
複数の拡大縮小表示形式に応じて前記映像信号を拡大縮小して、前記複数の拡大縮小表示形式に対応する複数の映像信号を生成する拡大縮小手段と、
前記表示部の表示領域を複数の分割表示領域に分割して、前記拡大縮小手段により生成された複数の映像信号に基づく複数の画像を前記複数の分割表示領域に表示させる画面分割手段と、
前記画面分割手段により前記表示部に表示された複数の拡大縮小表示形式に対応する複数の映像信号に基づく画像のうち、所望する画像を選択するための選択手段と、
前記選択手段により選択された画像に対応する拡大縮小表示形式に応じて、前記拡大縮小手段により生成された映像信号に基づく画像を前記表示部に表示させる表示制御手段と、
を備えることを特徴としている。
【０００７】
請求項３に記載の発明は、映像信号に基づく画像を表示する表示部を備える映像表示装置において、
複数の拡大縮小表示形式に応じて拡大縮小した複数の参考画像データを記憶する記憶手段と、
前記表示部の表示領域を複数の分割表示領域に分割して、前記記憶手段により記憶された複数の参考画像データに基づく参考画像を前記複数の分割表示領域に表示させる画面分割手段と、
前記画面分割手段により前記表示部に表示された複数の拡大縮小表示形式に対応する複数の参考画像のうち、所望する参考画像を選択するための選択手段と、
前記選択手段により選択された参考画像に対応する拡大縮小表示形式に応じて、前記映像信号を拡大縮小する拡大縮小手段と、
前記拡大縮小手段により拡大縮小された映像信号に基づく画像を前記表示部に表示させる表示制御手段と、
を備えることを特徴としている。
【発明の効果】
【０００８】
請求項１に記載の発明によれば、拡大縮小手段により、複数の拡大縮小表示形式に応じて映像信号が拡大縮小されて、当該複数の拡大縮小表示形式に対応する複数の映像信号が生成され、画面分割手段により、表示部の表示領域が複数の分割表示領域に分割されて、拡大縮小手段によって生成された複数の映像信号に基づく複数の画像が当該複数の分割表示領域に表示され、選択手段により、画面分割手段によって表示部に表示された複数の拡大縮小表示形式に対応する複数の映像信号に基づく画像のうち、所望する画像が選択され、表示制御手段により、選択手段によって選択された画像に対応する拡大縮小表示形式に応じて、拡大縮小手段によって生成された映像信号に基づく画像が表示部に表示されるので、１つの画面上に複数の拡大縮小表示形式により拡大縮小された画像が分割表示されることとなって、当該分割表示された複数の拡大縮小表示形式の画像を同時に見比べることができ、拡大縮小表示形式をより容易に選択することができる。
また、アスペクト比判定手段により、映像信号のアスペクト比が判定され、拡大縮小手段により、アスペクト比判定手段によって判定されたアスペクト比に基づいて、複数の拡大縮小表示形式に応じて映像信号を拡大縮小して、複数の拡大縮小表示形式に対応する複数の映像信号が生成されるので、ユーザが映像信号のアスペクト比を知らなくても、自動的に映像信号のアスペクト比に応じた拡大縮小表示形式により拡大縮小された画像が１つの画面上に分割表示されるので、拡大縮小表示形式をさらに容易に選択することができる。
【０００９】
請求項２に記載の発明によれば、拡大縮小手段により、複数の拡大縮小表示形式に応じて映像信号が拡大縮小されて、当該複数の拡大縮小表示形式に対応する複数の映像信号が生成され、画面分割手段により、表示部の表示領域が複数の分割表示領域に分割されて、拡大縮小手段によって生成された複数の映像信号に基づく複数の画像が当該複数の分割表示領域に表示され、選択手段により、画面分割手段によって表示部に表示された複数の拡大縮小表示形式に対応する複数の映像信号に基づく画像のうち、所望する画像が選択され、表示制御手段により、選択手段によって選択された画像に対応する拡大縮小表示形式に応じて、拡大縮小手段によって生成された映像信号に基づく画像が表示部に表示されるので、１つの画面上に複数の拡大縮小表示形式により拡大縮小された画像が分割表示されることとなって、当該分割表示された複数の拡大縮小表示形式の画像を同時に見比べることができ、拡大縮小表示形式をより容易に選択することができる。
【００１０】
請求項３に記載の発明によれば、記憶手段により、複数の拡大縮小表示形式に応じて拡大縮小された複数の参考画像データが記憶され、画面分割手段により、表示部の表示領域が複数の分割表示領域に分割されて、記憶手段によって記憶された複数の参考画像データに基づく参考画像が当該複数の分割表示領域に表示され、選択手段により、画面分割手段によって表示部に表示された複数の拡大縮小表示形式に対応する複数の参考画像のうち、所望する参考画像が選択され、拡大縮小手段により、選択手段によって選択された参考画像に対応する拡大縮小表示形式に応じて、映像信号が拡大縮小され、表示制御手段により、拡大縮小手段によって拡大縮小された映像信号に基づく画像が表示部に表示されるので、１つの画面上に複数の拡大縮小表示形式により拡大縮小された参考画像が分割表示されることとなって、当該分割表示された複数の拡大縮小表示形式の参考画像を同時に見比べることができ、拡大縮小表示形式をより容易に選択することができる。
また、記憶手段に、複数の拡大縮小表示形式に応じて拡大縮小された複数の参考画像データが予め記憶されているので、１つの画面上に当該複数の参考画像を迅速に分割表示することができ、より効率良く拡大縮小表示形式を選択することができる。
【発明を実施するための最良の形態】
【００１１】
以下、図を参照して、本発明に係る映像表示装置を実施するための最良の形態を詳細に説明する。なお、本実施形態では、映像表示装置として、デジタルテレビを例示して説明するが、本発明の範囲はこれに限定されるものではない。
【００１２】
（第１の実施形態）
まず、本発明の第１の実施形態に係るデジタルテレビ１００の構成について図１，図２を参照しながら説明する。本実施形態に係るデジタルテレビ１００は、例えば、図１，図２に示すように、アンテナ１，チューナ部２，復調部３，デコーダ４，画像分析回路５，拡大縮小回路６，画面分割処理回路７，表示部８，音出力部９，リモコン受信回路１０，リモコンＲ，制御部１１等を備えて構成されている。
【００１３】
アンテナ１は、例えば、パラボラアンテナやＵＨＦアンテナ等であり、地上波デジタル放送，ＢＳ・ＣＳ放送等のテレビジョン放送信号を含む放送波を受信し、地上波デジタル信号，ＢＳ・ＣＳ放送信号等のＲＦ信号をチューナ部２に出力する。なお、ＣＡＴＶ回線を介して放送波を受信する場合には、接続ケーブル（図示省略）等が備えられてもよい。
【００１４】
チューナ部２は、ミキサ（図示省略），選局回路（図示省略），Ａ／Ｄ変換回路（図示省略）等を備えて構成され、ミキサ，選局回路等により、アンテナ１から入力されたＲＦ信号が、ユーザが所望するチャンネルのＩＦ（Intermediate  Frequency）信号に変換され、Ａ／Ｄ変換回路により、生成されたＩＦ信号がデジタルデータに変換される。
【００１５】
復調部３は、例えば、チューナ部２から入力されるデジタルデータに復調処理等を行って、デコーダ４に出力する。
【００１６】
デコーダ４は、例えば、復調部３から入力されるデジタルデータに復号処理等を行って映像信号，音声信号を生成し、映像信号を画像分析回路５及び制御部１１に出力し、音声信号を音出力部９に出力する。
【００１７】
画像分析回路５は、ＣＰＵ１２（後述）がアスペクト比判定プログラム１４Ａ（後述）を実行することにより制御されて、デコーダ４から出力される映像信号を分析して、当該映像信号のアスペクト比に関する信号をＣＰＵ１２に出力する。かかる画像分析回路５は、アスペクト比判定手段の一部として機能する。
【００１８】
拡大縮小回路６は、例えば、ＣＰＵ１２が拡大縮小プログラム１４Ｂ（後述）を実行することにより制御されて、デコーダ４からＣＰＵ１２を介して出力される映像信号に対して、所定の拡大縮小表示形式に基づいて拡大縮小処理を行う。かかる拡大縮小回路６は、拡大縮小手段の一部として機能する。
【００１９】
画面分割処理回路７は、例えば、ＣＰＵ１２が画面分割プログラム１４Ｃ（後述）を実行することにより制御されて、表示部８の表示領域を複数の分割表示領域に分割して、拡大縮小回路６からＣＰＵ１２を介して出力される複数の映像信号に基づく複数の画像が当該複数の分割表示領域に表示されるように、当該複数の映像信号を合成する。かかる画面分割処理回路７は、画面分割手段の一部として機能する。
【００２０】
表示部８は、例えば、ＬＣＤ（Liquid  Crystal  Display）やＰＤＰ（Plasma  Display  Panel）等を備えて構成され、ＣＰＵ１２から出力される映像信号に基づく映像を表示する。
【００２１】
音出力部９は、例えば、スピーカ等を備えて構成され、デコーダ４から出力される音声信号に基づく音声を出力する。
【００２２】
リモコン受信回路１０は、例えば、リモコンＲから出力された操作信号を制御部１１に出力する。より具体的には、リモコン受信回路１０は、リモコンＲからの赤外線信号を電気信号に変換し、制御部１１に出力する。
【００２３】
リモコンＲは、例えば、各種の操作信号を入力するための各種のキー等を備え、ユーザにより操作されることによって、各種の操作信号をリモコン受信回路１０を介して制御部１１に出力する。
より具体的には、リモコンＲは、表示部８により表示された複数の拡大縮小表示形式に対応する複数の映像信号に基づく画像のうち、ユーザが所望する画像を選択する選択信号を制御部１１に出力し、選択手段として機能する。
【００２４】
制御部１１は、例えば、図２に示すように、ＣＰＵ（Central  Processing  Unit）１２，ＲＡＭ（Random  Access  Memory）１３，記憶部１４等を備えて構成される。
【００２５】
ＣＰＵ１２は、例えば、記憶部１４に格納された処理プログラム等を読み出して、ＲＡＭ１３に展開して実行することにより、デジタルテレビ１００全体の制御を行う。
【００２６】
ＲＡＭ１３は、ＣＰＵ１２により実行された処理プログラム等を、ＲＡＭ１３内のプログラム格納領域に展開するとともに、入力データや上記処理プログラムが実行される際に生じる処理結果等をデータ格納領域に格納する。
【００２７】
記憶部１４は、例えば、プログラムやデータ等が予め記憶されている記録媒体（図示せず）を有しており、この記録媒体は、例えば、半導体メモリ等で構成されている。また、記憶部１４は、ＣＰＵ１２がデジタルテレビ１００全体を制御する機能を実現させるための各種データ，各種処理プログラム，これらプログラムの実行により処理されたデータ等を記憶する。より具体的には、記憶部１４は、例えば、図２に示すように、アスペクト比判定プログラム１４Ａ，拡大縮小プログラム１４Ｂ，画面分割プログラム１４Ｃ，表示制御プログラム１４Ｄ等を格納している。
【００２８】
アスペクト比判定プログラム１４Ａは、例えば、ＣＰＵ１２に、画像分析回路５を制御して、デコーダ４から出力される映像信号を分析させ、当該映像信号のアスペクト比を判定する機能を実現させるプログラムである。ＣＰＵ１２は、かかるアスペクト比判定プログラム１４Ａを実行することにより、画像分析回路５とともにアスペクト比判定手段として機能する。
【００２９】
拡大縮小プログラム１４Ｂは、例えば、ＣＰＵ１２に、拡大縮小回路６を制御して、デコーダ４から出力される映像信号に対して、所定の拡大縮小表示形式に応じて当該映像信号に拡大縮小処理を行って、当該拡大縮小表示形式に対応する映像信号を生成する機能を実現させるプログラムである。より具体的には、拡大縮小プログラム１４Ｂは、例えば、アスペクト比毎に複数の拡大縮小表示形式を備え、ＣＰＵ１２に、アスペクト比判定プログラム１４Ａを実行することにより判定したアスペクト比に基づく複数の拡大縮小表示形式に応じて、拡大縮小回路６に映像信号に拡大縮小処理を行わせ、当該複数の拡大縮小表示形式に対応する複数の映像信号を生成する機能を実現させるプログラムである。ＣＰＵ１２は、かかる拡大縮小プログラム１４Ｂを実行することにより、拡大縮小回路６とともに拡大縮小手段として機能する。
【００３０】
画面分割プログラム１４Ｃは、例えば、ＣＰＵ１２に、画面分割処理回路７を制御して、表示部８の表示領域を複数の分割表示領域に分割し、拡大縮小プログラム１４Ｂを実行することにより生成した複数の映像信号に基づく画像が当該複数の分割表示領域に表示されるように、当該複数の映像信号を合成し、合成した映像信号に基づく画像を表示部８に表示させる機能を実現させるプログラムである。ＣＰＵ１２は、かかる画面分割プログラム１４Ｃを実行することにより、画面分割処理回路７とともに画面分割手段として機能する。
【００３１】
ＣＰＵ１２が画面分割プログラム１４Ｃを実行することにより、表示部８に表示される画面の一例を図３に示す。表示部８の表示領域は、例えば、図３に示すように、４つの分割表示領域に分割され、各分割表示領域には、アスペクト比が４：３の映像信号に基づく画像が１６：９の画面に映す場合における４つの拡大縮小表示形式に応じて拡大縮小処理された４つの画像がそれぞれ表示されている。例えば、図３に示すように、画面の向かって左上の分割表示領域には拡大縮小処理しない表示形式の画像，右上の分割表示領域には横方向にのみ拡大する拡大縮小表示形式の画像，左下の分割表示領域には縦横の比率を崩さずに拡大して画面よりはみ出す部分をカットする拡大縮小表示形式の画像，右下の分割表示領域には横方向において中央から端に向かうにつれて拡大率を大きくして拡大する拡大縮小表示形式の画像が表示されている。
【００３２】
表示制御プログラム１４Ｄは、例えば、ＣＰＵ１２に、当該表示部８に表示された、複数の拡大縮小表示形式に対応する複数の映像信号に基づく画像のうち、ユーザがリモコンＲを操作することにより所望する画像が選択された場合に、選択された画像に対応する拡大縮小表示形式に応じて、拡大縮小プログラム１４Ｂを実行することにより生成した映像信号に基づく画像を表示部８に全画面表示させる機能を実現させるプログラムである。ＣＰＵ１２は、かかる表示制御プログラム１４Ｄを実行することにより、表示制御手段として機能する。
【００３３】
次に、上述のような構成の第１の実施形態に係るデジタルテレビ１００の映像信号の拡大縮小動作及び表示制御動作について図４に示すフローチャートを参照しながら説明する。
まず、リモコンＲがユーザに操作されることにより、拡大縮小表示形式を設定する要求信号が入力されると（ステップＳ１）、ＣＰＵ１２は、アスペクト比判定プログラム１４Ａを実行することにより、画像分析回路５を制御して、映像信号のアスペクト比を判定する（ステップＳ２）。
【００３４】
次に、ＣＰＵ１２は、拡大縮小プログラム１４Ｂを実行することにより、アスペクト比判定プログラム１４Ａを実行することにより判定したアスペクト比に基づく複数の拡大縮小表示形式に応じて、拡大縮小回路６に映像信号に拡大縮小処理を行わせ、当該複数の拡大縮小表示形式に対応する複数の映像信号を生成する（ステップＳ３）。
【００３５】
次に、ＣＰＵ１２は、画面分割プログラム１４Ｃを実行することにより、画面分割処理回路７を制御して、表示部８の表示領域を複数の分割表示領域に分割し、拡大縮小プログラム１４Ｂを実行することにより生成した複数の映像信号に基づく画像が当該複数の分割表示領域に表示されるように、当該複数の映像信号を合成し、合成した映像信号に基づく画像を表示部８に表示させる（ステップＳ４）。
【００３６】
次に、ＣＰＵ１２は、ユーザがリモコンＲを操作することにより、表示部８に表示された複数の拡大縮小表示形式に対応する複数の映像信号に基づく画像のうち何れかの画像が選択されたか否かを判断する（ステップＳ５）。
【００３７】
ステップＳ５において、ＣＰＵ１２が、表示部８に表示された複数の拡大縮小表示形式に対応する複数の映像信号に基づく画像のうち何れの画像も選択されていないと判断した場合には（ステップＳ５；Ｎｏ）、ＣＰＵ１２は、ステップＳ５の処理を繰り返す。
ステップＳ５において、ＣＰＵ１２が、表示部８に表示された複数の拡大縮小表示形式に対応する複数の映像信号に基づく画像のうち何れかの画像が選択されたと判断した場合には（ステップＳ５；Ｙｅｓ）、ＣＰＵ１２は、表示制御プログラム１４Ｄを実行することにより、選択された画像に対応する拡大縮小表示形式に応じて、拡大縮小プログラム１４Ｂを実行することにより生成した映像信号に基づく画像を表示部８に全画面表示させる（ステップＳ６）。
【００３８】
以上に説明した本発明の第１の実施形態に係るデジタルテレビ１００によれば、ＣＰＵ１２が拡大縮小プログラム１４Ｂを実行することにより、複数の拡大縮小表示形式に応じて映像信号が拡大縮小されて、当該複数の拡大縮小表示形式に対応する複数の映像信号が生成され、ＣＰＵ１２が画面分割プログラム１４Ｃを実行することにより、表示部８の表示領域が複数の分割表示領域に分割されて、拡大縮小プログラム１４Ｂを実行することによって生成された複数の映像信号に基づく複数の画像が当該複数の分割表示領域に表示され、ユーザがリモコンＲを操作することにより、表示部８に表示された複数の拡大縮小表示形式に対応する複数の映像信号に基づく画像のうち、所望する画像が選択され、ＣＰＵ１２が表示制御プログラム１４Ｄを実行することにより、選択された画像に対応する拡大縮小表示形式に応じて、拡大縮小処理された映像信号に基づく画像が表示部８に表示（全画面表示）されるので、１つの画面上に複数の拡大縮小表示形式により拡大縮小された画像が分割表示されることとなって、当該分割表示された複数の拡大縮小表示形式の画像を同時に見比べることができ、拡大縮小表示形式をより容易に選択することができる。
また、ＣＰＵ１２がアスペクト比判定プログラム１４Ａを実行することにより、映像信号のアスペクト比が判定され、ＣＰＵ１２が拡大縮小プログラム１４Ｂを実行することにより、判定されたアスペクト比に基づいて、複数の拡大縮小表示形式に応じて映像信号を拡大縮小して、複数の拡大縮小表示形式に対応する複数の映像信号が生成されるので、ユーザが映像信号のアスペクト比を知らなくても、自動的に映像信号のアスペクト比に応じた拡大縮小表示形式により拡大縮小された画像が１つの画面上に分割表示されるので、拡大縮小表示形式をさらに容易に選択することができる。
【００３９】
（第２の実施形態）
第２の実施形態に係るデジタルテレビ２００は、例えば、図５，図６に示すように、ＤＶＤ読取部１５及び記憶部１４０の構成のみが、第１の実施形態に係るデジタルテレビ１００と異なるので、同一の構成については同一の符号を付すとともに、その説明を省略する。
【００４０】
ＤＶＤ読取部１５は、例えば、ピックアップ（図示省略），ＲＦアンプ（図示省略）等を備えて構成され、ＤＶＤに記録されている音声映像情報を読み取り、読み取った音声映像情報をデコーダ４に出力する。
【００４１】
記憶部１４０は、例えば、プログラムやデータ等が予め記憶されている記録媒体（図示せず）を有しており、この記録媒体は、例えば、半導体メモリ等で構成されている。また、記憶部１４０は、ＣＰＵ１２にデジタルテレビ２００全体を制御する機能を実現させるための各種データ，各種処理プログラム，これらプログラムの実行により処理されたデータ等を記憶する。より具体的には、記憶部１４０は、例えば、図５に示すように、画像データファイル１４０Ａ，アスペクト比判定プログラム１４Ａ，画面分割プログラム１４０Ｂ，拡大縮小プログラム１４０Ｃ，表示制御プログラム１４０Ｄ等を格納している。
【００４２】
画像データファイル１４０Ａは、例えば、複数の拡大縮小表示形式に応じて拡大縮小された複数の参考画像データを記憶している。当該拡大縮小表示形式に応じて拡大縮小された参考画像データは、アスペクト比毎に複数備えられている。
具体的には、参考画像データは、例えば、一の元画像データを複数の拡大縮小表示形式に応じて拡大縮小したものであり、静止画像或いは動画像の何れであっても良い。記憶部１４０は、かかる画像データファイル１４０Ａを格納することにより、記憶手段として機能する。
【００４３】
画面分割プログラム１４０Ｂは、例えば、ＣＰＵ１２に、画面分割処理回路７を制御して、表示部８の表示領域を複数の分割表示領域に分割し、アスペクト比判定プログラム１４Ａを実行することにより判定したアスペクト比に対応する複数の参考画像データに基づく参考画像が当該複数の分割表示領域に表示されるように、当該複数の参考画像データを合成し、合成した参考画像データに基づく参考画像を表示部８に表示させる機能を実現させるプログラムである。ＣＰＵ１２は、かかる画面分割プログラム１４０Ｂを実行することにより、画面分割処理回路７とともに画面分割手段として機能する。
【００４４】
拡大縮小プログラム１４０Ｃは、例えば、ＣＰＵ１２に、当該表示部８に表示された、複数の拡大縮小表示形式に対応する複数の映像信号に基づく参考画像のうち、ユーザがリモコンＲを操作することにより所望する参考画像が選択された場合に、拡大縮小回路６を制御して、デコーダ４から出力される映像信号に対して、選択された参考画像に対応する拡大縮小表示形式に応じて、当該映像信号に拡大縮小処理を行って、当該拡大縮小表示形式に対応する映像信号を生成する機能を実現させるプログラムである。ＣＰＵ１２は、かかる拡大縮小プログラム１４０Ｃを実行することにより、拡大縮小回路６とともに拡大縮小手段として機能する。
【００４５】
表示制御プログラム１４０Ｄは、例えば、ＣＰＵ１２に、拡大縮小プログラム１４０Ｃを実行することにより生成した映像信号に基づく画像を表示部８に全画面表示させる機能を実現させるプログラムである。ＣＰＵ１２は、かかる表示制御プログラム１４０Ｄを実行することにより、表示制御手段として機能する。
【００４６】
次に、上述のような構成の第２の実施形態に係るデジタルテレビ２００のＤＶＤから読み取られた映像信号の拡大縮小動作及び表示制御動作について図７に示すフローチャートを参照しながら説明する。
【００４７】
まず、リモコンＲがユーザに操作されることにより、拡大縮小表示形式を設定する要求信号が入力されると（ステップＳ１０１）、ＣＰＵ１２は、アスペクト比判定プログラム１４Ａを実行することにより、画像分析回路５を制御して、映像信号のアスペクト比を判定する（ステップＳ１０２）。
【００４８】
次に、ＣＰＵ１２は、画面分割プログラム１４０Ｂを実行することにより、画面分割処理回路７を制御して、表示部８の表示領域を複数の分割表示領域に分割し、画像データファイル１４０Ａに記憶されている複数の参考画像データのうち、ステップＳ１０２で判定したアスペクト比に対応する複数の参考画像データに基づく参考画像が当該複数の分割表示領域に表示されるように、当該複数の映像信号を合成し、合成した映像信号に基づく画像を表示部８に表示させる（ステップＳ１０３）。
【００４９】
次に、ＣＰＵ１２は、ユーザがリモコンＲを操作することにより、表示部８に表示された複数の拡大縮小表示形式に対応する複数の参考画像のうち何れかの参考画像が選択されたか否かを判断する（ステップＳ１０４）。
【００５０】
ステップＳ１０４において、ＣＰＵ１２が、表示部８に表示された複数の拡大縮小表示形式に対応する複数の参考画像のうち何れの参考画像も選択されていないと判断した場合には（ステップＳ１０４；Ｎｏ）、ＣＰＵ１２は、ステップＳ１０４の処理を繰り返す。
ステップＳ１０４において、ＣＰＵ１２が、表示部８に表示された複数の拡大縮小表示形式に対応する複数の参考画像のうち何れかの参考画像が選択されたと判断した場合には（ステップＳ１０４；Ｙｅｓ）、ＣＰＵ１２は、拡大縮小プログラム１４０Ｃを実行することにより、選択された参考画像に対応する拡大縮小表示形式に応じて、ＤＶＤ読取部１５によりＤＶＤから読み取られてデコーダ４から出力される映像信号に拡大縮小処理を行う（ステップＳ１０５）。
【００５１】
次に、ＣＰＵ１２は、表示制御プログラム１４０Ｄを実行することにより、ステップＳ１０５において拡大縮小処理を行った映像信号に基づく映像を表示部８に全画面表示させる（ステップＳ１０６）。
【００５２】
以上に説明した本発明の第２の実施形態に係るデジタルテレビ２００によれば、記憶部１４０の画像データファイル１４０Ａに、複数の拡大縮小表示形式に応じて拡大縮小された複数の参考画像データが記憶され、ＣＰＵ１２が画面分割プログラム１４０Ｂを実行することにより、表示部８の表示領域が複数の分割表示領域に分割されて、画像データファイル１４０Ａに記憶された複数の参考画像データに基づく参考画像が当該複数の分割表示領域に表示され、ユーザがリモコンＲを操作することにより、ＣＰＵ１２が画面分割プログラム１４０Ｂを実行することによって表示部８に表示された複数の拡大縮小表示形式に対応する複数の参考画像のうち、所望する参考画像が選択され、ＣＰＵ１２が拡大縮小プログラム１４０Ｃを実行することにより、選択された参考画像に対応する拡大縮小表示形式に応じて、映像信号が拡大縮小され、ＣＰＵ１２が表示制御プログラム１４０Ｄを実行することにより、拡大縮小された映像信号に基づく画像が表示部８に表示（全画面表示）されるので、１つの画面上に複数の拡大縮小表示形式により拡大縮小された参考画像が分割表示されることとなって、当該分割表示された複数の拡大縮小表示形式の参考画像を同時に見比べることができ、拡大縮小表示形式をより容易に選択することができる。
また、画像データファイル１４０Ａに、複数の拡大縮小表示形式に応じて拡大縮小された複数の参考画像が記憶されているので、１つの画面上に当該複数の参考画像を迅速に分割表示することができ、より効率良く拡大縮小表示形式を選択することができる。
【００５３】
なお、本発明に係るデジタルテレビ１００は、ＣＰＵ１２が拡大縮小プログラム１４Ｂを実行することによって、複数の拡大縮小表示形式に応じて拡大縮小処理された動画を一時的に記憶するバッファー等を備えて構成されてもよい。これにより、ＣＰＵ１２が画面分割プログラム１４Ｃを実行することによって、各分割表示領域には、バッファーに記憶された複数の拡大縮小表示形式に対応する複数の動画が表示されることとなる。
また、本発明の映像表示装置として、デジタルテレビを例示して説明したが、映像信号に基づく映像を拡大縮小して表示させるものであれば何であってもよく、例えば、ＤＶＤ再生装置等であってもよい。
【図面の簡単な説明】
【００５４】
【図１】本発明の第１の実施形態に係るデジタルテレビの概略構成を示す図である。
【図２】本発明の第１の実施形態に係るデジタルテレビの構成を示すブロック図である。
【図３】本発明に係る表示部に表示される画像の一例を説明する図である。
【図４】本発明の第１の実施形態に係るデジタル放送記録装置における映像信号の拡大縮小動作及び表示制御動作の一例を説明するフローチャートである。
【図５】本発明の第２の実施形態に係るデジタルテレビの概略構成を示す図である。
【図６】本発明の第１の実施形態に係るデジタルテレビの構成を示すブロック図である。
【図７】本発明の第１の実施形態に係るデジタル放送記録装置における映像信号の拡大縮小動作及び表示制御動作の一例を説明するフローチャートである。
【符号の説明】
【００５５】
５  画像分析回路（アスペクト比判定手段）
６  拡大縮小回路（拡大縮小手段）
７  画面分割処理回路（画面分割手段）
８  表示部
１２  ＣＰＵ（アスペクト比判定手段，拡大縮小手段，画面分割手段，表示制御手段）
１４Ａ  アスペクト比判定プログラム（アスペクト比判定手段）
１４Ｂ，１４０Ｂ  拡大縮小プログラム（拡大縮小手段）
１４Ｃ，１４０Ｃ  画面分割プログラム（画面分割手段）
１４Ｄ，１４０Ｄ  表示制御プログラム（表示制御手段）
１４０  記憶部（記憶手段）
１４０Ａ  画像データファイル（記憶手段）
１００，２００  デジタルテレビ（映像表示装置）
Ｒ  リモコン（選択手段）
【図１】
2007312183.tif 000003
【図２】
2007312183.tif 000004
【図３】
2007312183.tif 000005
【図４】
2007312183.tif 000006
【図５】
2007312183.tif 000007
【図６】
2007312183.tif 000008
【図７】
2007312183.tif 000009